(57)【要約】【課題】使用目的ごとに分類された磁着式表示片のセットにおいて、保管管理性に優れる表示片セットを提供する。【解決手段】磁石２３を内蔵した掲示板、白板、説明板、壁等の表示基板面２２に複数枚の表示片Ｐを、積層した状態で貼着できるようにした表示片セット１０において、磁性層１２の少なくとも一面に装飾印刷可能層１３を備える複数枚の磁性シートＰと、積層された複数枚の磁性シートＰの各面を選択的に見開き状態とできるように磁性シートＰ同士を連結する連結手段１１とを備えることで実現できる。【選択図】  図５
2020173346.tif 000002
【特許請求の範囲】
【請求項１】
磁性層の少なくとも一面に装飾印刷可能層を備える複数枚の磁性シートと、積層された複数枚の磁性シートの各面を選択的に見開き状態とできるように磁性シート同士を連結する連結手段とを備えることを特徴とする表示片セット。
【請求項２】
複数枚の磁性シートは、それぞれ同一の形状およびサイズに形成され、連結手段は、磁性シートの端縁部を軸として、磁性シートの面の法線方向に３６０度回動可能に各磁性シートを連結する請求項１に記載の表示片セット。
【請求項３】
磁性シートは方形に形成され、連結手段は、積層した磁性シートの４つの端縁部のうち同一の端縁部で連結を行う請求項１または２に記載の表示片セット。
【請求項４】
磁性シートは方形に形成され、連結手段は、積載した磁性シートの４つの端縁部のうちそれぞれ異なる端縁部で連結を行う請求項１または２に記載の表示片セット。
【請求項５】
磁性シートの装飾印刷可能層に、互いに異なる情報が印刷された請求項１から４のいずれか１項に記載の表示片セット。
【請求項６】
連結手段は、各磁性シートを着脱自在に連結する請求項１から５のいずれか１項に記載の表示片セット。
【発明の詳細な説明】
【技術分野】
【０００１】
本発明は、磁石を内蔵した掲示板、白板、説明板、壁等の表示基板面に複数枚の表示片を、積層した状態で貼着できるようにした表示片セットに関する。
【背景技術】
【０００２】
百貨店をはじめ、地下街通路、空港、博物館および各種公共施設などに設置されるショーウィンドウでは、一定期間のサイクルで展示品の入替えを実施しており、展示品の入替えとともに、背後の壁に貼る背景シートについても展示品にふさわしいイメージのものに貼りかえている。
【０００３】
例えば、季節をテーマとして展示品を入れ替えるショーウィンドウでは、四季折々の風景などをそれぞれ印刷した複数枚の背景シートの中から展示品に適したものを貼る。
このような背景シートは、春夏秋冬の４枚セット、或いは各季節２パターンの８枚セットというように、展示目的に応じたセットものとして纏めて、所定の保管場所に保管されている。
そして、実際に壁に貼るときは、このセットの中から条件にかなう背景シートを１枚抜き出し、残りの背景シートについてはそのまま保管しておく。
【０００４】
近年のショーウィンドウの背景シートには、粘着テープや押しピン等の固定部材が不要で見栄えがよいとともに作業性がよいことから、磁気吸着型の表示機構を利用したものが好評となっている。
【０００５】
下記特許文献１には、表示基板の着磁面に、複写、印刷又は手書き可能な表面を有する薄層磁性体の表示片を、複数枚積み重ねて吸着できる積層表示機構が開示されている。
例えばこの表示基板をショーウィンドウの背後壁とし、表示片に印刷を施したものを背景シートとして利用することができる。
【先行技術文献】
【特許文献】
【０００６】
【特許文献１】特許３６１９４１２号
【発明の概要】
【発明が解決しようとする課題】
【０００７】
ところで、一般にショーウィンドウの展示内容のテーマは複数存在し、テーマ毎に数パターンの背景シートを纏めたセットが複数存在する。また大型施設では、同一管理者により管理されるショーウィンドウが複数存在することがある。
【０００８】
このため、貼替えの頻度が比較的高くまた他のショーウィンドウで並行して貼替え作業が行われているとき、一部の背景シートを紛失したり、保管中のある背景シートセットの中に他のセットの背景シートが紛れ込んだりする虞がある。
【０００９】
一方、特許文献１に記載の積層表示機構では、表示片の重ね貼りができることから、同じセットの背景シートについては、紛失や混入防止のため、表示してある背景シートの下層に重ね合わせた状態で貼りつけておくことが考えられる。
しかしこの場合、重ね貼りのできる枚数は、あくまで表示基板側からの吸着磁場の透過が及ぶ範囲とされる。
【００１０】
本発明は、上記実情に鑑みてなされたものであって、使用目的ごとに分類された磁着式表示片のセットにおいて、保管管理性に優れる表示片セットを提供することを課題とする。
【課題を解決するための手段】
【００１１】
上述の課題を解決すべく、本発明の表示片セットは、磁性層の少なくとも一面に装飾印刷可能層を備える複数枚の磁性シートと、積層された複数枚の磁性シートの各面を選択的に見開き状態とできるように磁性シート同士を連結する連結手段とを備えることを特徴とする。
【００１２】
本発明の表示片セットによると、ユーザが表示させたい磁性シートの面を見開き状態として、磁石を内蔵した表示基体に磁着させることができる。各磁性シートを重ねて磁着させた場合、各磁性シートは互いに連結しているため、磁気吸着可能な磁場の透過の及ぶ範囲外に配置される磁性シートであっても、脱落してしまうことがなく、全ての磁性シートが積層された状態で固定保持される。
従って、ショーウィンドウの背後壁に貼る背景シートのように複数のセットが存在する場合でも、一部の磁性シートを紛失したり、保管中のある磁性シートのセットの中に他のセットの磁性シートが紛れ込んだりする虞がない。
なお、本発明で言う「装飾印刷可能層」は、既に印刷の施されたもの、これから印刷を施すもの、既に装飾の施されたもの、これから装飾を施すもののいずれをも含む。
【００１３】
本発明の一態様では、複数枚の磁性シートは、それぞれ同一の形状およびサイズに形成され、連結手段は、磁性シートの端縁部を軸として、磁性シートの面の法線方向に３６０度回動可能に各磁性シートを連結する。
【００１４】
本発明の更なる一態様では、磁性シートは方形に形成され、連結手段は、積層した磁性シートの４つの端縁部のうち同一の端縁部で連結を行う。
【００１５】
本発明の更なる一態様では、磁性シートは方形に形成され、連結手段は、積載した磁性シートの４つの端縁部のうちそれぞれ異なる端縁部で連結を行う。
【００１６】
特に、上記構成によると、見開くときの軸部分が分散され、一か所で連結した場合に比べて、見開くときの回動軸付近に盛り上がりが集中することを防ぐことができ見栄えがよい（図９，１４参照）。
【００１７】
本発明の更なる一態様では、磁性シートの装飾印刷可能層に、互いに異なる情報が印刷されている。
【００１８】
本発明の更なる一態様では、連結手段は、各磁性シートを着脱自在に連結する。この構成によると、新しい表示内容の磁性シートに交換するときの交換作業が容易となる。
【発明の効果】
【００１９】
本発明によると、使用目的（テーマ等）ごとに分類された磁着式表示片のセットにおいて、保管管理性に優れる表示片セットが提供される。
【図面の簡単な説明】
【００２０】
【図１】本発明に係る表示機構の構成概略を示す側断面図である。
【図２】本発明に係る第１実施形態の表示片セットの斜視図である。
【図３】メタルシートの側断面図である。
【図４】磁性壁の側断面図である。
【図５】磁性壁に表示片セットを貼着した状態例を示す一部断面図である。
【図６】磁性壁に表示片セットを貼着した状態例を示す一部断面図である。
【図７】磁性壁に表示片セットを貼着した状態例を示す一部断面図である。
【図８】磁性壁に表示片セットを貼着した状態例を示す一部断面図である。
【図９】磁性壁に表示片セットを貼着した状態例を示す一部断面図である。
【図１０】第１実施形態の表示片セットの変形例を示す斜視図である。
【図１１】第１実施形態の表示片セットの変形例を示す斜視図である。
【図１２】本発明に係る第２実施形態の表示片セットの斜視図である。
【図１３】第２実施形態の表示片セットの使い方を説明するための図である。
【図１４】磁性壁に第２実施形態の表示片セットを貼着した状態例を示す一部断面図である。
【発明を実施するための形態】
【００２１】
以下、添付図面を参照しながら、本発明の実施形態を説明する。
なお、以下の各実施形態は、本発明の一例であって、本発明、その他の適用物、あるいはその用途の範囲を制限するものではない。
【００２２】
〔第１実施形態〕
図１は、表示機構１の構成概略を示す側面図である。
表示機構１は、百貨店におけるショーウィンドウの背後壁に適用され、表示片セット１０と壁体２０とを備える。図中の右側がウィンドウガラスの設置されている側である、表示片セット１０は、磁力により壁体２０に一方側が吸着保持され、この状態で、表示片セット１０のもう一方側をウィンドウガラス側に向けて表示するようになっている。
【００２３】
図２は本発明に係る第１実施形態の表示片セット１０の斜視図、図３は背景シートＰの側断面図である。図２に示すように、表示片セット１０は、５枚の正方形状の背景シートＰ（Ｐ１〜Ｐ５）と、２つのステープラ針１１を備える。
なお、背景シートＰのサイズは、例えば幅１ｍ×長さ１ｍ〜幅２ｍ×長さ２ｍ、厚さ０．２ｍｍ〜０．４ｍｍ程度とされ、可撓性を有する。
【００２４】
各背景シートＰは、両面に印刷を施すことのできる層を備えた軟磁性体の磁性シートであり、図３に示すように、２枚の薄層基材１３と、それらの間に設けられた磁性層１２を備える。
【００２５】
薄層基材１３としては、合成紙、無機粉末を含有したプラスチックフィルムや、耐水紙などが挙げられ、表面に印刷可能層（図示は省略）を有する。
なお、印刷可能層とは、使用目的に適した印刷インキ受理層を意味する。
そして、この印刷インキ受理層としては、合成紙では印刷方式（オフセット印刷、凸版印刷、インキジェット印刷、熱転写印刷、グラビア印刷、シルク印刷、レーザ印刷等）に適したグレードを選べばよく、無機粉末等を含有したプラスチックフィルムでは、印刷方式に適した公知のインキ受理層を塗布すればよい。
【００２６】
磁性層１２は、磁性材料粉と有機高分子エラストマーを主たる組成とする。
磁性材料粉は、軟質磁性材料粉を用いており、フェロ磁性体の中で低保磁力の高透磁力の強磁性体（鉄粉、磁性ステンレス粉、センダスト粉など）と、フェリ磁性体の中で低保磁力の高透磁力の強磁性体（ソフトフェライトであるマンガン亜鉛フェライト粉、ニッケル亜鉛フェライト粉、マグネタイト粉＝四三酸化鉄粉など）があり、又、両者の混合物も用いることもできる。
【００２７】
有機高分子エラストマーとしては、塩素化ポリエチレンエラストマー、クロロスルホン化ポリエチレンエラストマー、エチレン酢酸ビニル共重合体エラストマー、エチレンエチルアクリレートエラストマー、エチレンプロピレンエラストマー、ウレタン系エラストマーなどが挙げられ、又、希望する物性によって適宜これらの混合物及びこれらとプラストマー（プラスチック）との混合物を使用することができる。
【００２８】
図３に示すような背景シートは、例えば、薄層基材１３の片面に、磁性材料粉と有機高分子エラストマーの混合体をスラリー状としたものを塗布して片面に磁性層を形成した片面磁性シートを２枚製作し、これら２枚の片面磁性シートを、磁性層同士を突き合わせて熱圧着により接合することで製作することができる。
【００２９】
本形態では、５枚の背景シートＰのうち４枚の両面、すなわち印刷可能層に、それぞれ互いに異なる８種類の装飾模様（図示せず）がすでに印刷されている。
この装飾模様は、春夏秋冬の各季節について２パターンの８種類の景色である。
また、残り１枚の背景シートＰには表側面に例えば「四季」といった表題が書かれ、裏側面に製造メーカーや製品コード等の情報が印刷されている。
【００３０】
以上のような５枚の背景シートＰは、四辺を揃えて重ねた状態でステープラ針１１により綴じた一体ものとなっている。すなわち「四季」というテーマで一体化している。
綴じる箇所は、各背景シートＰの四隅のうち非対角の２か所である。
これにより、各背景シートＰは、綴じしろ側の端縁部Ｈ、つまりステープラ針１１間の領域を軸として３６０度回動可能となり、各背景シートＰの全ての面を選択的に見開き状態とすることができる。
【００３１】
図４は磁性壁２０の側断面図である。
磁性壁２０は、磁石としての性質を有する壁であり、図４に示すように、壁基体２１とシート状磁石２３と壁紙２２を備える。
壁基体２１は、板状基体で、鉄板やフェライト系ステンレススチール等の強磁性体又は木製、石膏ボード等の非磁性体によって形成される。
シート状磁石２３は、表面に片面着磁が施されており、壁基体２１の表面に接着剤を用いて取り付けられている。図中のＮ，Ｓは着磁面の磁極を示している。壁紙２２は、シート状磁石２３の表面に一体的に貼着されている。
磁性壁２０は、磁石としての性質を有さないメタルシートとしての背景シートＰを３枚まで重ねて磁気吸着可能な強さとされる。
【００３２】
次に、図２、５〜９を用いて、表示片セット１０の機能について説明する。
図５〜９は、第１実施形態の表示片セット１０の機能を説明するための図であり、磁性壁２０に表示片セット１０を貼着した状態例を示す一部断面図である。
以下の説明で、表示片セット１０における５枚の背景シートＰは、図２における上層から順に第１シートＰ１、第２シートＰ２、第３シートＰ３、第４シートＰ４、第５シートＰ５と言う。
また、図２の上面となっている面を表側面と言い、下面となっている面を裏側面と言う。
【００３３】
このショーウィンドウでは、四季折々の風景をテーマにして展示品を入替え、その際に、背景シートＰについても、展示の季節に適したものを表示するようにしている。
【００３４】
図５において、表示片セット１０は、最上層の第１シートＰ１の表側面が表示される形で磁性壁２０に貼着されている。すなわち、図２に示す順序で重ねられた表示片セット１０が、最下層の第５シートＰ５の裏側面を磁性壁２０に貼着している。
図中の破線Ｍは、この状態でのシート状磁石２３による吸着磁場の透過の及ぶ範囲を示す。吸着磁場の透過の及ぶ範囲は、第５シートＰ５、第４シートＰ４および第３シートＰ３の３枚までである。
吸着磁場の透過の及んでいない第２シートＰ２と第１シートＰ１は、磁着はなされないが、ステープラ針１１により、吸着磁場の透過の及んだ第５シートＰ５、第４シートＰ４および第３シートＰ３と連結しているため固定保持される。
【００３５】
図５の状態から、例えば第２シートＰ２の表側面を表示させたい場合は、まず、表示片セット１０をいったん磁性壁２０から取り外す。次いで、第１シートＰ１の下端を親指と人差し指と中指でつまんでめくり上げ、綴じしろ側の端縁部Ｈを軸として３６０度回動させ、第１シートＰ１の表側面を第５シートＰ５の裏側面に重ね合わせる。
次いで、図６に示すように、第１シートＰ１の裏側面を壁紙２２に貼着する。
【００３６】
図６の状態から、例えば第１シートＰ１の裏側面を表示させたい場合は、まず、表示片セット１０を磁性壁２０から取り外す。次いで、取り外した表示片セット１０を上下軸まわりに１８０度回動させ、図７に示すように、第２シートＰ２の表側面を壁紙２２に貼着する。
【００３７】
同じような要領で、第３シートＰ３の表側面（図８参照）、第２シートＰ２の裏側面（図９参照）など、各背景シートＰの表側裏側面を選択的に表示させることができる。つまり春夏秋冬の各季節について２パターンの８種類の景色を選択的に表示できる。
【００３８】
いずれの場合も、シート状磁石２３による吸着力の及ぶ範囲は、破線Ｍに示すように、磁性壁２０側に積層した背景シート３枚までであるが、各背景シートＰ同士はステープラ針１１で連結されているため、磁気吸着可能な磁場の透過の及ぶ範囲外に配置される背景シートであっても、脱落してしまうことがなく、全ての背景シートが積層された状態で固定保持される。
従って、「四季」のセットの他に例えば「動物」や「旅行」などをテーマとした多数のセットが存在する場合でも、一部の背景シートを紛失したり、保管中のある背景シートのセットの中に他のセットの背景シートが紛れ込んだりする虞がない。
このように保管管理性に優れる。
【００３９】
上述の表示片セット１０では、各背景シートＰの連結手段にステープラ針１１を用いたが、図１０に示すように、図２の各背景シートＰにおけるステープラ針１１の位置に穿孔し、開閉式リング部材１４によって綴じてもよい。
この場合、各背景シートＰは着脱自在となるので、新しい表示内容の背景シートＰに交換するときの交換作業が容易となる。また、連結手段は、コイル状の開閉式リング部材、重ね合わせた背景シートＰの端縁部を上下から挟みこむ短冊バインダー型のホルダー、マグネット部材、雌雄一対のホックボタンとしてもよい。
【００４０】
また、図１１に示すように、重ね合わせた各背景シートＰの端面に接着剤１５を塗布することにより連結させてもよい。
この場合、表側裏側面が未印刷状態の背景シートのセットとすることができる。
印刷機にかけるときは、上層から順に一枚ずつ分離すればよい。
分離を容易にするため、各背景シートＰの端部にミシン目１６を形成してもよい。
【００４１】
〔第２実施形態〕
図１２は本発明に係る第２実施形態の表示片セット３０の斜視図である。
図１２に示すように、表示片セット３０は、第１実施形態の表示片セット１０における背景シートＰと同様な背景シートＱを平面視十字状に並べ、隣り合うもの同士の端縁部を透明の粘着テープＵにより接合して連結させた一体ものである。
接合する箇所は、中央以外の各背景シートＱ２〜Ｑ５が中央の背景シートＱ１と隣り合う端縁部である。これにより、中央以外の各背景シートＱ２〜Ｑ５は、４つの接合中心Ｊを軸として３６０度回動可能となり、各背景シートＰの全ての面を選択的に見開き状態とすることができる。
接合中心Ｊとは、柵形の粘着テープＵの中央線である。
【００４２】
次に、図１２，１３，１４を用いて、表示片セット３０の機能について説明する。
以下の説明で、５枚の背景シートＱは、図１２における中央に配置されるシートを第１シートＱ１、左のシートを第２シートＱ２とし、そこから時計まわり方向に順次、第３シートＱ３、第４シートＱ４、第５シートＱ５とする。
また、第１シートＱ１と第２，３，４，５の各シートＱ２，Ｑ３，Ｑ４，Ｑ５との接合中心Ｊを、それぞれＪ２，Ｊ３，Ｊ４，Ｊ５とする。
また、各背景シートＱおいて、図１２の上面となっている面を表側面と言い、下面となっている面を裏側面と言う。
【００４３】
以下では、第４シートＱ４の表側面を表示させる場合について説明する。
まず、接合中心Ｊ３を回動軸として第３シートＱ３を矢印Ｙ１方向に９０度よりも大きく回動させる。
次いで、接合中心Ｊ４を回動軸として第４シートＱ４を矢印Ｙ２方向に９０度よりも大きく回動させる。次いで、接合中心Ｊ５を回動軸として第５シートＱ５を矢印Ｙ３方向に９０度よりも大きく回動させる。
次いで、接合中心Ｊ２を回動軸として第２シートＱ２を矢印Ｙ４方向に９０度よりも大きく回動させる。以上の作業により、表示片セット３０は図１３の形となる。
【００４４】
この状態の表示片セット３０を第４シートＱ４と第２シートＱ２の間で押しつぶすようにして扁平にする。そして図１４に示すように、第２シートＱ２の裏側面を壁紙２２に貼着する。
【００４５】
同じような要領で、各背景シートＱの表側裏側面を選択的に表示させることができる。
そして、前述の実施形態１と同様な効果を奏する。特に、表示片セット３０では、中央の第１シートＱ１の各辺で他の背景シートＱ２，Ｑ３，Ｑ４，Ｑ５が連結しており、折り返したときに折り返し部分が分散され、一か所で綴った場合に比べて、折り返したときの軸付近の盛り上がりが集中することを防ぐことができ、見栄えがよい。
表示片セット３０における連結手段についても着脱自在型としてもよい。
【００４６】
本発明は、上述した２つの実施形態や変形例以外にも、各種に変形して実施することができる。例えば、複数枚の正方形の背景シートを一列に並べて、隣り合うもの同士の辺部分を粘着テープにより接合して連結させた一体ものとしてもよい。
また、上述の各実施形態では、背景シートＰの形状を正方形としたが、正多角形、長方形などとしてもよい。また、印刷可能層は、背景シートＰの両面としたが、片面だけとしてもよい。
また、背景シートＰは、上記例に限らず、極く薄い鉄箔に、紙を両面または片面に接着させたスチールペーパーや、軟磁性体シートの両面または片面に布等の桑かい素材を接着させた装飾シートなどとすることもできる。
また、磁性壁２０の代わりに、磁石を内蔵した掲示板、白板、説明板としてもよい。
【産業上の利用可能性】
【００４７】
百貨店をはじめ、地下街通路、空港、博物館および各種公共施設などに設置されるショーウィンドウの背後の壁に貼る背景シートとして幅広く活用できる。
【符号の説明】
【００４８】
１０  表示片セット
１１  ステープラ針（連結手段）
１２  磁性層
１３  薄層基材（装飾印刷可能層）
１４  開閉式リング部材（連結手段）
１５  接着剤（連結手段）
３０  表示片セット
Ｈ  辺部分
Ｐ  背景シート（磁性シート）
Ｑ  背景シート（磁性シート）
Ｕ  粘着テープ（連結手段）
【図１】
2020173346.tif 000003
【図２】
2020173346.tif 000004
【図３】
2020173346.tif 000005
【図４】
2020173346.tif 000006
【図５】
2020173346.tif 000007
【図６】
2020173346.tif 000008
【図７】
2020173346.tif 000009
【図８】
2020173346.tif 000010
【図９】
2020173346.tif 000011
【図１０】
2020173346.tif 000012
【図１１】
2020173346.tif 000013
【図１２】
2020173346.tif 000014
【図１３】
2020173346.tif 000015
【図１４】
2020173346.tif 000016